(57)【要約】【課題】  上着のポケット等に入れて持ち歩くのに好適な筆入れを提供する。【解決手段】  筆記具１３を２〜３本まとめた状態で余裕を持って収容できる大きさの横断面積を有する正四角筒状の容器本体１１と、容器本体１１の筆記具出し入れ用開口１１２に係合部１４を介して係脱可能に係合される蓋体１２とを備え、そして、蓋体１２に設けた消しゴム挿入部１５に消しゴム１６の一端部を挿入した状態で係合部１４を容器本体１１の開口１１２に係合した時に消しゴム１６が容器本体１１に収納されるように構成した。【選択図】  図３
0003140803.tif 000002
【実用新案登録請求の範囲】
【請求項１】
鉛筆等の筆記具が余裕を持って収容できる長さを有するとともに前記筆記具の横断面積の複数倍に相当する横断面積を有し、かつ一端が閉塞され他端に前記筆記具の出し入れ用の開口を有する角筒状もしくは円筒状の容器本体と、
前記容器本体と同一の横断面積と同一の横断面形状を有し、かつ前記開口が開閉されるように当該開口に係脱可能に係合される係合部を有する蓋体と、
前記蓋体に該蓋体の内面から前記開口に向け前記係合部を貫通するように前記容器本体の長手方向に延在して設けられた消しゴム挿入部とを備え、
前記消しゴム挿入部に消しゴムの一端部を挿入した状態で前記係合部を前記開口に係合した時に前記消しゴムが前記容器本体に収納されるように構成したことを特徴とする筆入れ。
【請求項２】
前記容器本体の横断面積は、前記筆記具を２〜３本まとめた状態で余裕を持って収容できる大きさを有していることを特徴とする請求項１記載の筆入れ。
【請求項３】
前記容器本体は、該容器本体の長手方向の全長に亘り形成された一定の幅を有する切欠き部を有し、前記切欠き部が閉塞されるように該切欠き部と同一の長さと幅を有する短冊状の閉塞片を前記容器本体に係脱可能に設け、前記閉塞片の裏面に長さ計量用の目盛が刻設されていることを特徴とする請求項１記載の筆入れ。
【請求項４】
前記閉塞片の幅方向の両縁と該両縁に対向する前記切欠き部の両縁の何れか一方の両縁に凸条を全長に亘り形成し他方の両縁に前記凸条がスライド可能に係合する凹溝を形成し、前記凸条と凹溝を介して前記閉塞片を前記容器本体に抜き差し可能に係合したことを特徴とする請求項３記載の筆入れ。
【請求項５】
前記蓋体が前記容器本体の開口を閉鎖した状態に保持する可撓性の保持バンドを備え、前記保持バンドの一端は前記容器本体に設けた第１のフックに係脱可能に係合され、前記保持バンドの他端は前記蓋体に設けた第２のフックに係脱可能に係合されていることを特徴とする請求項１記載の筆入れ。
【考案の詳細な説明】
【技術分野】
【０００１】
本考案は、鉛筆、ボールペンなどの筆記具や消しゴムといった筆記用具を収納する筆入れに関する。
【背景技術】
【０００２】
従来、鉛筆、ボールペンなどの筆記具、消しゴム等といった筆記用具を収納する筆入れは、筆記具の長さに消しゴム等の収容スペースを加えた長さより長い長さ寸法（例えば１８ｃｍ程度）と、複数本、例えば５〜７本程度の筆記具を平面状に並べた状態で収容し得る幅寸法（例えば６〜７ｃｍ程度）と、消しゴムの厚さより大きい深さ寸法（例えば１．８ｃｍ程度）を有する扁平かつ長尺な直方体形状で、上面が開口された容器本体と、この容器本体に枢軸を介して開閉可能に枢着され、容器本体の上面開口を開閉する蓋体とから構成される（特許文献１参照）。
【特許文献１】特開平９−２０６１１９号公報
【考案の開示】
【考案が解決しようとする課題】
【０００３】
上述のような従来の筆入れは、５〜７本程度の筆記具の他に消しゴム等を平面状に並べて収納し得る面積の収納スペースを有するため、鉛筆やボールペン、万年筆、マジックペン（商品名）等の複数種類の筆記具を収納する場合には好適であり、かつ、当該筆入れを大きな書類かばんなどに入れて持ち歩く場合も邪魔な存在とならない。
【０００４】
しかしながら、上述のような構造の筆入れの形状は大型になり、しかも、当該筆入れに筆記具や消しゴム等の筆記用具を満杯状態に収納した場合、筆記用具を含めた筆入れ自体の重量が重くなってしまう。その結果、筆入れを小型の携帯バックなどに入れて持ち歩く場合や上着のポケット等に入れて持ち歩く場合には筆入れ自体が邪魔になり、携帯には不便であった。
【０００５】
本考案は、上記のような従来の問題を解決するためになされたもので、上着のポケット等に入れて持ち歩くのに好適な筆入れを提供することを目的とする。
【課題を解決するための手段】
【０００６】
上記目的を達成するために請求項１の考案は、筆入れであって、鉛筆等の筆記具が余裕を持って収容できる長さを有するとともに前記筆記具の横断面積の複数倍に相当する横断面積を有し、かつ一端が閉塞され他端に前記筆記具の出し入れ用の開口を有する角筒状もしくは円筒状の容器本体と、前記容器本体と同一の横断面積と同一の横断面形状を有し、かつ前記開口が開閉されるように当該開口に係脱可能に係合される係合部を有する蓋体と、前記蓋体に該蓋体の内面から前記開口に向け前記係合部を貫通するように前記容器本体の長手方向に延在して設けられた消しゴム挿入部とを備え、前記消しゴム挿入部に消しゴムの一端部を挿入した状態で前記係合部を前記開口に係合した時に前記消しゴムが前記容器本体に収納されるように構成したことを特徴とする。
【０００７】
請求項２の考案は、請求項１記載の筆入れにおいて、前記筆記具を２〜３本まとめた状態で余裕を持って収容できる大きさを有していることを特徴とする。
【０００８】
請求項３の考案は、請求項１記載の筆入れにおいて、前記容器本体は、該容器本体の長手方向の全長に亘り形成された一定の幅を有する切欠き部を有し、前記切欠き部が閉塞されるように該切欠き部と同一の長さと幅を有する短冊状の閉塞片を前記容器本体に係脱可能に設け、前記閉塞片の裏面に長さ計量用の目盛が刻設されていることを特徴とする。
【０００９】
請求項４の考案は、請求項３記載の筆入れにおいて、前記閉塞片の幅方向の両縁と該両縁に対向する前記切欠き部の両縁の何れか一方の両縁に凸条を全長に亘り形成し他方の両縁に前記凸条がスライド可能に係合する凹溝を形成し、前記凸条と凹溝を介して前記閉塞片を前記容器本体に抜き差し可能に係合したことを特徴とする。
【００１０】
請求項４の考案は、請求項１記載の筆入れにおいて、前記蓋体が前記容器本体の開口を閉鎖した状態に保持する可撓性の保持バンドを備え、前記保持バンドの一端は前記容器本体に設けた第１のフックに係脱可能に係合され、前記保持バンドの他端は前記蓋体に設けた第２のフックに係脱可能に係合されていることを特徴とする。
【考案の効果】
【００１１】
本考案にかかる筆入れは、筆記具を２〜３本まとめた状態で余裕を持って収容できる大きさの横断面積を有する角筒状もしくは円筒状の容器本体と、容器本体の筆記具出し入れ用開口に係合部を介して係脱可能に係合される蓋体とを備え、そして、蓋体に設けた消しゴム挿入部に消しゴムの一端部を挿入した状態で係合部を容器本体の開口に係合した時に消しゴムが容器本体に収納されるように構成したので、筆入れを小型化及び軽量化することができ、上着のポケット等に入れて持ち歩くのに好適な筆入れを提供できる。
【００１２】
また、本考案によれば、容器本体に形成した切欠き部を閉塞する閉塞片が容器本体に長手方向に抜き差し可能に設けられ、この閉塞片の裏面には長さ計量用の目盛が刻設されているので、容器本体から抜き取った閉塞片を長さ計量用の定規として利用することができる。
【００１３】
また、本考案によれば、容器本体と蓋体との間を、それぞれに設けた第１のフックと第２のフックを介して保持バンドにより保持するようにしたので、蓋体が容器本体からみだりに脱落するのを防止できる。
【考案を実施するための最良の形態】
【００１４】
（実施の形態１）
次に、本考案にかかる筆入れの実施の形態について図面を参照して説明する。
【００１５】
図１は本考案の実施の形態１における筆入れの全体の構成を示す平面図、図２は図１の右側面図、図３は図１の３−３線に沿う断面図、図４は図１の４−４線に沿う拡大断面図、図５は本考案の実施の形態１における筆入れの蓋体を取り外し、かつ閉塞片を抜き取り方向に一部スライドさせた状態を示す説明図、図６は本考案の実施の形態１における筆入れの閉塞片に刻設した目盛の一例を示す説明平面図である。
【００１６】
本実施の形態１における筆入れ１０は、図１〜図５に示すように、木製の容器本体１１と、木製の蓋体１２を備える。
【００１７】
容器本体１１は、鉛筆等の筆記具１３が余裕を持って収容できる長さ（例えば２００ｍｍ）を有するとともに筆記具１３の横断面積の複数倍に相当する横断面積（例えば２０×２０ｍｍ２）を有する正四角筒状を呈している。この正四角筒状容器本体１１の一端は底板１１１により閉塞され、容器本体１１の他端は筆記具１３の出し入れ用開口１１２として開口されている。
【００１８】
蓋体１２は、容器本体１１と同一の横断面積と同一の横断面形状を有している。また、蓋体１２の開口１１２と対向する面には、開口１１２に係脱可能に係合して開口１１２を開閉する正四角筒状の木製の係合部１４が突設されている。さらに、蓋体１２は、蓋体１２の内面１２ａから開口１１２に向け係合部１４を貫通するように容器本体１１の長手方向に延在して形成された消しゴム挿入部１５を備える。この消しゴム挿入部１５には消しゴム１６の一端部が挿入され、この状態で係合部１４を開口１１２に係合した時、消しゴム挿入部１５から突出する部分を含む消しゴム１６が容器本体１１に収納するように構成されている。
【００１９】
容器本体１１の開口１１２寄りの外側面には金属製又は木材・合成樹脂製の第１のフック１７が突設され、また、蓋体１２の係合部１４と反対の外端面には金属製又は木材・合成樹脂製の第２のフック１８が突設されている。さらに、第１及び第２のフック１７と１８に係合して、蓋体１２が容器本体１１の開口１１２を閉じた状態に保持する合成樹脂材・皮革等の柔軟性を持つ可撓性の保持バンド１９を備える。この保持バンド１９の一端は第１のフック１７に係脱可能に係合され、保持バンド１９の他端は第２のフック１８に係脱可能に係合されている。
【００２０】
容器本体１１は、図１、図３及び図４に示すように、容器本体１１の長手方向の全長に亘り形成された一定の幅を有する切欠き部２０を有している。また、切欠き部２０が閉塞されるように切欠き部２０と同一の長さと幅を有する短冊状の閉塞片２１を備えている。
【００２１】
閉塞片２１の裏面には、図６に示すように、長さ計量用の目盛、例えばセンチメータ用目盛２２と、インチ用目盛２３が幅方向の両縁に閉塞片２０の長手方向に沿ってそれぞれ刻設されている。
【００２２】
閉塞片２１の幅方向の両縁には、図４及び図５に示すように、凸条２１１が閉塞片２１の全長に亘りそれぞれ形成されている。また、閉塞片２１の幅方向の両縁に対向する切欠き部２０の両縁には、図４及び図５に示すように、閉塞片２１の凸条２１１がスライド可能に係合する凹溝２０１がそれぞれ形成されている。この凸条２１１と凹溝２０１を介して閉塞片２１を容器本体１１に開口１１２側から抜き差し可能に係合されるように構成されている。
【００２３】
次に、本実施の形態１における筆入れの使用例について説明する。
【００２４】
容器本体１１内に収納されている筆記具１３を取り出す場合は、まず、保持バンド１９の一方の端部を第１のフック１７または第２のフック１８から外し、保持バンド１９による蓋体１２への保持を開放する。この状態で、図５に示すように、蓋体１２を消しゴム１６ごと容器本体１１から取り外す。その後、容器本体１１の開口１１２が斜め下方をむくように容器本体１１全体を傾斜させれば、容器本体１１内の筆記具１３は自重により開口１１２から容器本体１１外へ取り出すことができる。
【００２５】
また、消しゴム１６を使用する場合は、消しゴム１６が蓋体１２の消しゴム挿入部１５に挿入されたままの状態、または蓋体１２の消しゴム挿入部１５から引き抜いた状態で使用可能となる。
【００２６】
また、必要な筆記部１３を容器本体１１内に収納する場合は、図５に示すように、蓋体１２を消しゴム１６ごと容器本体１１から取り外す。この状態で、必要な筆記部１３を開口１１２から容器本体１１内に挿入する。この場合、収納し得る筆記部１３の本数は２〜３本程度である。その後、消しゴム１６を消しゴム挿入部１５に挿入した状態の蓋体１２の係合部１４を開口１１２に係合する。これにより、容器本体１１の開口１１２が閉鎖される。その後、保持バンド１９の両端部を第１のフック１７および第２のフック１８に係合することで、蓋体１２を容器本体１１に保持する。
【００２７】
閉塞片２１を長さの計量に利用する場合は、図５に示すように、蓋体１２を消しゴム１６ごと容器本体１１から取り外した状態で、閉塞片２１を図５に示す矢印方向にスライドして容器本体１１から完全に引き抜く。そして、図６に示すように、センチメータ用目盛２２とインチ用目盛２３を表面にして、これらの目盛２２または２３を被測定物に沿わせることにより、被測定物の長さを計測することができる。
【００２８】
このような本実施の形態１に示す筆入れよれば、筆記具１３を２〜３本まとめた状態で余裕を持って収容できる大きさの横断面積を有する正四角筒状の容器本体１１と、容器本体１１の筆記具出し入れ用開口１１２に係合部１４を介して係脱可能に係合される蓋体１２とを備え、そして、蓋体１２に設けた消しゴム挿入部１５に消しゴム１６の一端部を挿入した状態で係合部１４を容器本体１１の開口１１２に係合した時に消しゴム１６が容器本体１１に収納されるように構成したので、筆入れ１０を小型化及び軽量化することができ、上着のポケット等に入れて持ち歩くのに好適な筆入れ１０を提供することができる。
【００２９】
また、本実施の形態１によれば、容器本体１１に形成した切欠き部２０を閉塞する閉塞片２１が容器本体１１に長手方向に抜き差し可能に設けられ、この閉塞片２１の裏面には長さ計量用の目盛２２，２３が刻設されているので、容器本体１１から抜き取った閉塞片２１を長さ計量用の定規として利用することができる。
【００３０】
また、本実施の形態１によれば、容器本体１１と蓋体１２との間を、それぞれに設けた第１のフック１７と第２のフック１８を介して保持バンド１９により保持するようにしたので、蓋体１２が容器本体１１からみだりに脱落するのを防止できる。
（実施の形態２）
次に、本考案にかかる筆入れの実施の形態２について図面を参照して説明する。
【００３１】
図７は本考案の実施の形態２における筆入れの全体の構成を示す平面図、図８は図７の右側面図、図９は図７の８−８線に沿う断面図、図１０は図７の１０−１０線に沿う拡大断面図、図１１は本考案の実施の形態２における筆入れの閉塞片に刻設した目盛の一例を示す説明平面図である。
【００３２】
本実施の形態２における筆入れ３０は、図７〜図１０に示すように、木製の容器本体３１と、木製の蓋体３２を備える。
【００３３】
容器本体３１は、鉛筆等の筆記具１３が余裕を持って収容できる長さ（例えば２００ｍｍ）を有するとともに筆記具１３の横断面積の複数倍に相当する横断面積を有する正三角筒状を呈している。この正三角筒状容器本体３１の一端は底板３１１により閉塞され、容器本体３１の他端は筆記具１３の出し入れ用開口３１２として開口されている。
【００３４】
蓋体３２は、容器本体３１と同一の横断面積と同一の横断面形状を有している。また、蓋体３２の開口３１２と対向する面には、開口３１２に係脱可能に係合して開口３１２を開閉する木製の係合部３４が突設されている。この係合部３４の内側には消しゴム挿入部３５が形成されている。この消しゴム挿入部３５には消しゴム１６の一端部が挿入され、この状態で係合部３４を開口３１２に係合した時、消しゴム挿入部３５から突出する部分を含む消しゴム１６が容器本体３１に収納するように構成されている。
【００３５】
容器本体３１の開口３１２寄りの外側面には金属製又は木材・合成樹脂製の第１のフック３７が突設され、また、蓋体３２の係合部３４と反対の外端面には金属製又は木材・合成樹脂製の第２のフック３８が突設されている。さらに、第１及び第２のフック３７と３８に係合して、蓋体３２が容器本体３１の開口３１２を閉じた状態に保持する合成樹脂材・皮革等の柔軟性を持つ可撓性の保持バンド３９を備える。この保持バンド３９の一端は第１のフック３７に係脱可能に係合され、保持バンド３９の他端は第２のフック３８に係脱可能に係合されている。
【００３６】
容器本体３１は、図７、図９及び図１０に示すように、容器本体３１の長手方向の全長に亘り形成された一定の幅を有する切欠き部４０を有している。また、切欠き部４０が閉塞されるように切欠き部４０と同一の長さと幅を有する短冊状の閉塞片４１を備える。
【００３７】
閉塞片４１の裏面には、図１１に示すように、長さ計量用の目盛、例えばセンチメータ用目盛４２と、インチ用目盛４３が幅方向の両縁に閉塞片４０の長手方向に沿ってそれぞれ刻設されている。
【００３８】
閉塞片４１の幅方向の両縁には、図９及び図１０に示すように、凸条４１１が閉塞片４１の全長に亘りそれぞれ形成されている。また、閉塞片４１の幅方向の両縁に対向する切欠き部４０の両縁には、図９及び図１０に示すように、閉塞片４１の凸条４１１がスライド可能に係合する凹溝４０１がそれぞれ形成されている。この凸条４１１と凹溝４０１を介して閉塞片４１を容器本体３１に開口３１２側から抜き差し可能に係合されるように構成されている。
【００３９】
次に、本実施の形態２における筆入れの使用例について説明する。
【００４０】
容器本体３１内に収納されている筆記具１３を取り出す場合は、まず、保持バンド３９の一方の端部を第１のフック３７または第２のフック３８から外し、保持バンド３９による蓋体３２への保持を開放する。この状態で、蓋体３２を消しゴム１６ごと容器本体３１から取り外す。その後、容器本体３１の開口３１２が斜め下方をむくように容器本体３１全体を傾斜させれば、容器本体３１内の筆記具１３は自重により開口３１２から容器本体３１外へ取り出すことができる。
【００４１】
また、消しゴム１６を使用する場合は、消しゴム１６が蓋体３２の消しゴム挿入部３５に挿入されたままの状態、または蓋体３２の消しゴム挿入部３５から引き抜いた状態で使用可能となる。
【００４２】
また、必要な筆記部１３を容器本体１１内に収納する場合は、図５に示すように、蓋体１２を消しゴム１６ごと容器本体１１から取り外す。この状態で、必要な筆記部１３を開口１１２から容器本体１１に挿入する。この場合、収納し得る筆記部１３の本数は２〜３本程度である。その後、消しゴム１６を消しゴム挿入部３５に挿入した状態の蓋体３２の係合部３４を開口３１２に係合する。これにより、容器本体３１の開口３１２が閉鎖される。その後、保持バンド３９の両端部を第１のフック３７および第２のフック３８に係合することで、蓋体３２を容器本体３１に保持する。
【００４３】
閉塞片４１を長さの計量に利用する場合は、蓋体３２を消しゴム１６ごと容器本体３１から取り外した状態で、閉塞片４１を容器本体１１から完全に引き抜く。そして、図１１に示すように、センチメータ用目盛４２とインチ用目盛４３を表面にして、これらの目盛４２または４３を被測定物に沿わせることにより、被測定物の長さを計測することができる。
【００４４】
このような本実施の形態２に示す筆入れよれば、筆記具１３を２〜３本まとめた状態で余裕を持って収容できる大きさの横断面積を有する正三角筒状の容器本体３１と、容器本体３１の筆記具出し入れ用開口３１２に係合部３４を介して係脱可能に係合される蓋体３２とを備え、そして、蓋体３２に設けた消しゴム挿入部３５に消しゴム１６の一端部を挿入した状態で係合部３４を容器本体３１の開口３１２に係合した時に消しゴム１６が容器本体３１に収納されるように構成したので、筆入れ３０を小型化及び軽量化することができ、上着のポケット等に入れて持ち歩くのに好適な筆入れ３０を提供することができる。
【００４５】
また、本実施の形態２によれば、容器本体３１に形成した切欠き部４０を閉塞する閉塞片４１が容器本体３１に長手方向に抜き差し可能に設けられ、この閉塞片４１の裏面には長さ計量用の目盛４２，４３が刻設されているので、容器本体３１から抜き取った閉塞片４１を長さ計量用の定規として利用することができる。
【００４６】
また、本実施の形態２によれば、容器本体３１と蓋体３２との間を、それぞれに設けた第１のフック３７と第２のフック３８を介して保持バンド３９により保持するようにしたので、蓋体３２が容器本体３１からみだりに脱落するのを防止できる。
（実施の形態３）
次に、本実施の形態２における筆入れの使用例について説明する。
【００４７】
図１２は本考案の実施の形態３における筆入れの全体の構成を示す平面図、図１３は図１２の右側面図、図１４は図１２の１４−１４線に沿う断面図、図１５は図１２の１５−１５線に沿う拡大断面図、図１６は本考案の実施の形態３における筆入れの蓋体に消しゴムが挿着された状態を示す斜視図である。
【００４８】
本実施の形態３における筆入れ５０は、図１２〜図１５に示すように、木製の容器本体５１と、木製の蓋体５２を備える。
【００４９】
容器本体５１は、鉛筆等の筆記具１３が余裕を持って収容できる長さ（例えば２００ｍｍ）を有するとともに筆記具１３の横断面積の複数倍に相当する横断面積を有する円筒状を呈している。この円筒状容器本体５１の一端は底板５１１により閉塞され、容器本体５１の他端は筆記具１３の出し入れ用開口５１２として開口されている。
【００５０】
蓋体５２は、容器本体５１と同一の横断面積と同一の横断面形状を有している。また、蓋体５２の開口５１２と対向する面には、開口５１２に係脱可能に係合して開口５１２を開閉する円筒状の木製の係合部５４が突設されている。この係合部５４の内側には消しゴム挿入部５５が形成されている。この消しゴム挿入部５５には消しゴム１６の一端部が挿入され、この状態で係合部５４を開口５１２に係合した時、消しゴム挿入部５５から突出する部分を含む消しゴム１６が容器本体５１に収納するように構成されている。
【００５１】
容器本体５１の開口５１２寄りの外側面には金属製の第１のフック５７が突設され、また、蓋体５２の係合部５４と反対の外端面には金属製の第２のフック５８が突設されている。さらに、第１及び第２のフック５７と５８に係合して、蓋体５２が容器本体１１の開口５１２を閉じた状態に保持する合成樹脂材からなる可撓性の保持バンド５９を備える。この保持バンド５９の一端は第１のフック５７に係脱可能に係合され、保持バンド５９の他端は第２のフック５８に係脱可能に係合されている。
【００５２】
次に、本実施の形態３における筆入れの使用例について説明する。
【００５３】
容器本体５１内に収納されている筆記具１３を取り出す場合は、まず、保持バンド５９の一方の端部を第１のフック５７または第２のフック５８から外し、保持バンド５９による蓋体５２への保持を開放する。この状態で、蓋体５２を消しゴム１６ごと容器本体５１から取り外す。その後、容器本体５１の開口５１２が斜め下方をむくように容器本体５１全体を傾斜させれば、容器本体５１内の筆記具１３は自重により開口５１２から容器本体５１１外へ取り出すことができる。
【００５４】
また、消しゴム１６を使用する場合は、消しゴム１６が蓋体５２の消しゴム挿入部５５に挿入されたまま状態、または蓋体５２の消しゴム挿入部５５から引き抜いた状態で使用可能となる。
【００５５】
また、必要な筆記部１３を容器本体５１内に収納する場合は、蓋体５２を消しゴム１６ごと容器本体５１から取り外す。この状態で、必要な筆記部１３を開口５１２から容器本体５１に挿入する。この場合、収納し得る筆記部１３の本数は２〜３本程度である。その後、消しゴム１６を消しゴム挿入部５５に挿入した状態の蓋体５２の係合部５４を開口５１２に係合する。これにより、容器本体５１の開口５１２が閉鎖される。その後、保持バンド５９の両端部を第１のフック５７および第２のフック５８に係合することで、蓋体５２を容器本体５１に保持する。
【００５６】
このような本実施の形態３に示す筆入れよれば、筆記具１３を２〜３本まとめた状態で余裕を持って収容できる大きさの横断面積を有する円筒状の容器本体５１と、容器本体５１の筆記具出し入れ用開口５１２に係合部５４を介して係脱可能に係合される蓋体５２とを備え、そして、蓋体５２に設けた消しゴム挿入部５５に消しゴム１６の一端部を挿入した状態で係合部５４を容器本体５１の開口５１２に係合した時に消しゴム１６が容器本体５１に収納されるように構成したので、筆入れ５０を小型化及び軽量化することができ、上着のポケット等に入れて持ち歩くのに好適な筆入れ５０を提供することができる。
【００５７】
また、本実施の形態３によれば、容器本体５１と蓋体５２との間を、それぞれに設けた第１のフック５７と第２のフック５８を介して保持バンド５９により保持するようにしたので、蓋体５２が容器本体５１からみだりに脱落するのを防止できる。
【００５８】
なお、本考案における容器本体は、正四角筒状、正三角筒状、円筒状のものに限らず、正五角筒状、正六角筒状などの多角筒状や楕円筒状などであってもよい。
【００５９】
また、上記実施の形態３においても上記実施の形態１，３に示す場合と同様に切欠き部及びこれを閉塞する閉塞片を有する構造にすることもできる。
【図面の簡単な説明】
【００６０】
【図１】本考案の実施の形態１における筆入れの全体の構成を示す平面図である。
【図２】図１の右側面図である。
【図３】図１の３−３線に沿う断面図である。
【図４】図１の４−４線に沿う拡大断面図である。
【図５】本考案の実施の形態１における筆入れの蓋体を取り外し、かつ閉塞片を抜き取り方向に一部スライドさせた状態を示す説明図である。
【図６】本考案の実施の形態１における筆入れの閉塞片に刻設した目盛の一例を示す説明平面図である。
【図７】本考案の実施の形態２における筆入れの全体の構成を示す平面図である。
【図８】図７の右側面図である。
【図９】図７の８−８線に沿う断面図である。
【図１０】図７の１０−１０線に沿う拡大断面図である、
【図１１】本考案の実施の形態２における筆入れの閉塞片に刻設した目盛の一例を示す説明平面図である。
【図１２】本考案の実施の形態３における筆入れの全体の構成を示す平面図である。
【図１３】図１２の右側面図である。
【図１４】図１２の１４−１４線に沿う断面図である。
【図１５】図１２の１５−１５線に沿う拡大断面図である。
【図１６】本考案の実施の形態３における筆入れの蓋体に消しゴムが挿着された状態を示す斜視図である。
【符号の説明】
【００６１】
１０    筆入れ
１１    容器本体
１１２  開口
１３    筆記具
１４    係合部
１５    消しゴム挿入部
１６    消しゴム
１７    第１のフック
１８    第２のフック
１９    保持バンド
２０    切欠き部
２１    閉塞片
２０１  凹溝
２１１  凸条
２２，２３  目盛
３０    筆入れ
３１    容器本体
３１２  開口
３３    筆記具
３４    係合部
３５    消しゴム挿入部
３７    第１のフック
３８    第２のフック
３９    保持バンド
４０    切欠き部
４１    閉塞片
４０１  凹溝
４１１  凸条
４２，４３  目盛
５０    筆入れ
５１    容器本体
５１２  開口
５３    筆記具
５４    係合部
５５    消しゴム挿入部
５７    第１のフック
５８    第２のフック
５９    保持バンド
【図１】
0003140803.tif 000003
【図２】
0003140803.tif 000004
【図３】
0003140803.tif 000005
【図４】
0003140803.tif 000006
【図５】
0003140803.tif 000007
【図６】
0003140803.tif 000008
【図７】
0003140803.tif 000009
【図８】
0003140803.tif 000010
【図９】
0003140803.tif 000011
【図１０】
0003140803.tif 000012
【図１１】
0003140803.tif 000013
【図１２】
0003140803.tif 000014
【図１３】
0003140803.tif 000015
【図１４】
0003140803.tif 000016
【図１５】
0003140803.tif 000017
【図１６】
0003140803.tif 000018